(57)【要約】【課題】ハンドオーバまたは変更がシステム間で現れるとき、直通のトンネルメカニズムでデータ転送を実現する。【解決手段】ソースデータ転送ネットワーク要素が、ユーザプレーンアンカーネットワーク要素にデータを転送する。ユーザプレーンアンカーネットワーク要素は、ターゲット側処理ネットワーク要素にデータを転送する。ハンドオーバまたは変更がシステム間で現れるときのデータ処理方法はまた、本発明により提供され、次のものを含む。ユーザプレーンアンカーネットワーク要素がメッセージ指示を受信し、ソースデータ転送ネットワーク要素およびターゲット側処理ネットワーク要素のうちの少なくとも１つにデータを送信する。ユーザプレーンアンカーネットワーク要素は、ユーザプレーンのルートを更新し、ユーザプレーンの更新されたルートにしたがって、ターゲット側処理ネットワーク要素にデータを送信する。【選択図】図７
2011254518.tif 000002
【特許請求の範囲】
【請求項１】
データ処理方法において、
ユーザプレーンアンカーネットワーク要素により、ソースデータ転送ネットワーク要素によって転送されるデータを受信することと、
前記ユーザプレーンアンカーネットワーク要素により、ターゲット側処理ネットワーク要素に前記データを転送することとを含むデータ処理方法。
【請求項２】
モビリティマネジメントネットワーク要素と、前記ユーザプレーンアンカーネットワーク要素との間でメッセージを交換して、前記ユーザプレーンアンカーネットワーク要素のデータ転送トンネル識別子を取得することをさらに含む請求項１記載のデータ処理方法。
【請求項３】
前記モビリティマネジメントネットワーク要素により、前記ターゲット側処理ネットワーク要素のデータ転送トンネル識別子を前記ユーザプレーンアンカーネットワーク要素に知らせることをさらに含む請求項２記載のデータ処理方法。
【請求項４】
前記ソースデータ転送ネットワーク要素は、２Ｇ  ＳＧＳＮであり、前記ユーザプレーンアンカーネットワーク要素は、ユーザプレーンエンティティＵＰＥであり、前記ターゲット側処理ネットワーク要素は、ロングタームエボリューションＬＴＥアクセスネットワークであり、
前記方法は、
モビリティマネジメントエンティティＭＭＥと、前記ＵＰＥとの間でメッセージを交換して前記ＵＰＥのデータ転送トンネル識別子を取得し、前記ＭＭＥにより、前記ＬＴＥ側のデータ転送トンネル識別子を前記ＵＰＥに知らせることと、
前記ＭＭＥにより、前記ＵＰＥのデータ転送トンネル識別子を前記２Ｇ  ＳＧＳＮに知らせることと、
前記２Ｇ  ＳＧＳＮにより、データパケットを前記ＵＰＥに転送することと、
前記ＵＰＥにより、前記データパケットを前記ＬＴＥに転送することとを含む請求項１ないし３のいずれか１項記載のデータ処理方法。
【請求項５】
前記ソースデータ転送ネットワーク要素は、ロングタームエボリューションＬＴＥであり、前記ユーザプレーンアンカーネットワーク要素は、ユーザプレーンエンティティＵＰＥであり、前記ターゲット側処理ネットワーク要素は、２Ｇ  ＳＧＳＮであり、
前記方法は、
モビリティマネジメントエンティティＭＭＥと、前記ＵＰＥとの間でメッセージを交換して前記ＵＰＥのデータ転送トンネル識別子を取得し、前記ＭＭＥにより、前記２Ｇ  ＳＧＳＮのデータ転送トンネル識別子を前記ＵＰＥに知らせることと、
前記ＭＭＥにより、前記ＵＰＥのデータ転送トンネル識別子を前記ＬＴＥに知らせることと、
前記ＬＴＥにより、データパケットを前記ＵＰＥに転送することと、
前記ＵＰＥにより、前記データパケットを前記２Ｇ  ＳＧＳＮに転送することとを含む請求項１ないし３のいずれか１項記載のデータ処理方法。
【請求項６】
前記ソースデータ転送ネットワーク要素は、ソース無線ネットワーク制御装置ＲＮＣであり、前記ユーザプレーンアンカーネットワーク要素は、ユーザプレーンエンティティＵＰＥであり、前記ターゲット側処理ネットワーク要素は、ロングタームエボリューションＬＴＥであり、
前記方法は、
３ＧサービングＧＰＲＳサポートノードＳＧＳＮと、前記ＵＰＥとによりメッセージを交換して前記ＵＰＥのデータ転送トンネル識別子を取得し、前記ＬＴＥ側のデータ転送トンネル識別子を前記ＵＰＥに知らせることと、
前記３Ｇ  ＳＧＳＮにより、前記ＵＰＥのデータ転送トンネル識別子を前記ソースＲＮＣに知らせることと、
前記ソースＲＮＣにより、データパケットを前記ＵＰＥに転送することと、
前記ＵＰＥにより、前記データパケットを前記ＬＴＥに転送することとを含む請求項１ないし３のいずれか１項記載のデータ処理方法。
【請求項７】
前記ソースデータ転送ネットワーク要素は、ロングタームエボリューションＬＴＥであり、前記ユーザプレーンアンカーネットワーク要素は、ユーザプレーンエンティティＵＰＥであり、前記ターゲット側処理ネットワーク要素は、ターゲット無線ネットワーク制御装置ＲＮＣであり、
前記方法は、
モビリティマネジメントエンティティＭＭＥと、前記ＵＰＥとの間でメッセージを交換して前記ＵＰＥのデータ転送トンネル識別子を取得し、前記ターゲットＲＮＣのデータ転送トンネル識別子を前記ＵＰＥに知らせることと、
前記ＭＭＥにより、前記ＵＰＥのデータ転送トンネル識別子を前記ＬＴＥに知らせることと、
前記ＬＴＥにより、データパケットを前記ＵＰＥに転送することと、
前記ＵＰＥにより、前記データパケットを前記ターゲットＲＮＣに転送することとを含む請求項１ないし３のいずれか１項記載のデータ処理方法。
【請求項８】
データ処理方法において、
ユーザプレーンアンカーネットワーク要素により、指示メッセージを受信し、ソースデータ転送ネットワーク要素と、ターゲット側処理ネットワーク要素とのうちの少なくとも１つにデータを送信することと、
前記ユーザプレーンアンカーネットワーク要素により、ユーザプレーンルーティングを更新し、前記更新されたユーザプレーンルーティングにしたがって、前記メッセージ中で指示されるように、前記ターゲット側処理ネットワーク要素に前記データを送信することとを含むデータ処理方法。
【請求項９】
前記ソースデータ転送ネットワーク要素は、２Ｇ  ＳＧＳＮであり、前記ユーザプレーンアンカーネットワーク要素は、ユーザプレーンエンティティＵＰＥであり、前記ターゲット側処理ネットワーク要素は、ロングタームエボリューションＬＴＥアクセスネットワークであり、
前記方法は、
モビリティマネジメントエンティティＭＭＥにより、バイキャストコマンドメッセージを前記ＵＰＥに送信することと、
前記ＵＰＥにより、データパケットを前記２Ｇ  ＳＧＳＮと前記ＬＴＥとに送信することと、
ユーザプレーンルーティングの更新が完了すると、前記ＵＰＥにより、データパケットを前記ＬＴＥだけに送信することとを含む請求項８記載のデータ処理方法。
【請求項１０】
前記ソースデータ転送ネットワーク要素は、ロングタームエボリューションＬＴＥであり、前記ユーザプレーンアンカーネットワーク要素は、ユーザプレーンエンティティＵＰＥであり、前記ターゲット側処理ネットワーク要素は、２Ｇ  ＳＧＳＮであり、
前記方法は、
モビリティマネジメントエンティティＭＭＥにより、バイキャストコマンドメッセージを前記ＵＰＥに送信することと、
前記ＵＰＥにより、データパケットを前記ＬＴＥと前記２Ｇ  ＳＧＳＮとに送信することと、
ユーザプレーンルーティングの更新が完了すると、前記ＵＰＥにより、データパケットを前記２Ｇ  ＳＧＳＮだけに送信することとを含む請求項８記載のデータ処理方法。
【請求項１１】
前記ソースデータ転送ネットワーク要素は、ソース無線ネットワーク制御装置ＲＮＣであり、前記ユーザプレーンアンカーネットワーク要素は、ユーザプレーンエンティティＵＰＥであり、前記ターゲット側処理ネットワーク要素は、ロングタームエボリューションＬＴＥであり、
前記方法は、
ＭＭＥにより、バイキャストコマンドメッセージを前記ＵＰＥに送信することと、
前記ＵＰＥにより、データパケットを前記ソースＲＮＣと前記ＬＴＥとに送信することと、
ユーザプレーンルーティングの更新が完了すると、前記ＵＰＥにより、データパケットを前記ＬＴＥだけに送信することとを含む請求項８記載のデータ処理方法。
【請求項１２】
前記ソースデータ転送ネットワーク要素は、ロングタームエボリューションＬＴＥであり、前記ユーザプレーンアンカーネットワーク要素は、ユーザプレーンエンティティＵＰＥであり、前記ターゲット側処理ネットワーク要素は、ターゲット無線ネットワーク制御装置ＲＮＣであり、
前記方法は、
モビリティマネジメントエンティティＭＭＥにより、バイキャストコマンドメッセージを前記ＵＰＥに送信することと、
前記ＵＰＥにより、データパケットを前記ＬＴＥと前記ターゲットＲＮＣとに送信することと、
ユーザプレーンルーティングの更新が完了すると、前記ＵＰＥにより、データパケットを前記ターゲットＲＮＣだけに送信することとを含む請求項８記載のデータ処理方法。
【請求項１３】
ソースデータ転送ネットワーク要素と、ユーザプレーンアンカーネットワーク要素と、ターゲット側処理ネットワーク要素とを具備するデータ処理システムにおいて、
前記ユーザプレーンアンカーネットワーク要素には、前記ソースデータ転送ネットワーク要素により転送されるデータを受信するように適合されている受信ユニットと、前記ターゲット側処理ネットワーク要素に前記受信したデータを転送するように適合されている送信ユニットとが設けられているデータ処理システム。
【請求項１４】
前記システムは、
前記ユーザプレーンアンカーネットワーク要素とメッセージを交換して前記ユーザプレーンアンカーネットワーク要素のデータ転送トンネル識別子を取得し、前記ユーザプレーンアンカーネットワーク要素のデータ転送トンネル識別子を、前記ソースデータ転送ネットワーク要素に知らせるように適合されているモビリティマネジメントネットワーク要素をさらに具備し、
前記ソースデータ転送ネットワーク要素は、前記ユーザプレーンアンカーネットワーク要素のデータ転送トンネル識別子にしたがって、前記ユーザプレーンアンカーネットワーク要素にデータを転送するように適合されている請求項１３記載のデータ処理システム。
【請求項１５】
前記モビリティマネジメントネットワーク要素は、前記ターゲット側処理ネットワーク要素のデータ転送トンネル識別子を前記ユーザプレーンアンカーネットワーク要素に知らせるようにさらに適合されている請求項１４記載のデータ処理システム。
【請求項１６】
受信ユニットと送信ユニットとを具備するユーザプレーンアンカーネットワーク要素において、
前記受信ユニットは、ソースデータ転送ネットワーク要素により転送されるデータを受信するように適合されており、
前記送信ユニットは、ターゲット側処理ネットワーク要素に前記受信したデータを転送するように適合されているユーザプレーンアンカーネットワーク要素。
【発明の詳細な説明】
【技術分野】
【０００１】
［優先権の主張］
本発明は、２００６年８月１５日に中国特許庁に出願された、“システム間のハンドオーバまたは変更が起こるときのデータ処理方法”と題する、中国特許出願第２００６１０１１５３８１．３号の利益を主張し、その内容は、全体として、参照によりここに組み込まれている。
【０００２】
［技術分野］
本発明は、電気通信の分野に関し、特に、データ処理技術およびシステムに関する。
【背景技術】
【０００３】
図１中で図示したように、既存の汎用パッケージ無線サービス（ＧＰＲＳ）／ユニバーサル移動電気通信システム（ＵＭＴＳ）技術は、ＵＭＴＳ地上無線アクセスネットワーク（ＵＴＲＡＮ）と、ＧＳＭ／ＥＤＧＥ無線アクセスネットワーク（ＧＥＲＡＮ）と、コアネットワーク（ＣＮ）と、移動局（ＭＳ）とを含む、第２世代ワイヤレス通信システムに類似したネットワークアーキテクチャを用いる。ＧＥＲＡＮ／ＵＴＲＡＮは、すべてのワイヤレス関連の機能を実現し、ＣＮは、ＧＰＲＳ／ＵＴＭＳにおけるすべての音声通話およびデータ接続を取り扱い、外部ネットワークとの切り替えおよびルーティング機能を実現する。
【０００４】
論理的に、ＣＮは、それぞれ音声およびデータサービスをサポートする、回線交換（ＣＳ）ドメインおよびパケット交換（ＰＳ）ドメインに分割できる。
【０００５】
ＣＳドメインは、移動交換センタ（ＭＳＣ）サーバや、メディアゲートウェイ（ＭＧＷ）や、ゲートウェイ移動交換センタ（ＧＭＳＣ）サーバのようなノードを含む。ＭＳＣサーバは、ＣＳドメインの制御プレーンデータを送信し、モビリティマネジメントや、通話制御や、認証の暗号化のような機能を実現する。ＧＭＳＣサーバは、ＧＭＳＣに対する制御プレーンにおける、通話制御およびモビリティ制御を取り扱う。ＭＧＷは、ユーザプレーンデータの送信を取り扱う。
【０００６】
ＰＳドメインは、サービングＧＰＲＳサポートノード（ＳＧＳＮ）や、ゲートウェイＧＰＲＳサポートノード（ＧＧＳＮ）のようなノードを含む。ＧＧＳＮは、外部ネットワークと対話するためのインターフェースである。また、ＧＥＲＡＮとＵＴＲＡＮとの間のユーザプレーンアンカー（すなわち、ユーザプレーンアンカーネットワーク要素）として、ＧＧＳＮは、ユーザプレーンのデータを送信する。ＣＳドメインにおけるＭＳＣサーバに類似した位置を有するＳＧＳＮは、ルーティング転送や、モビリティマネジメントや、セッションマネジメントや、ユーザ情報の記憶のような機能を実現する。
【０００７】
ホームロケーションレジスタ（ＨＬＲ）は、ＣＳドメインおよびＰＳドメインの両方において使用されて、ユーザ加入情報を記憶する。
【０００８】
既存の３ＧＰＰプロトコルにおいて、ＵＭＴＳのユーザプレーン処理は、図２中で示した２つのトンネルメカニズムに基づいている。ＵＭＴＳにおいて、ユーザプレーン処理は、それぞれＩｕインターフェースおよびＧｎインターフェースに対して、無線ネットワーク制御装置（ＲＮＣ、ＵＴＲＡＮのワイヤレスリソースを制御するために使用される、ＵＴＲＡＮのネットワーク要素）とＳＧＳＮとの間に、およびＳＧＳＮとＧＧＳＮとの間にある。２つのトンネルメカニズムに対して、ＳＧＳＮは、ユーザプレーンと制御プレーンの両方を取り扱い、それゆえに、制御プレーン処理とユーザプレーン処理は、別々でない。
【０００９】
高速パケットアクセス（ＨＳＰＡ）およびＩＰマルチメディアサブシステム（ＩＭＳ）の導入により、将来の３ＧＰＰネットワークにおいて、著しいデータフローの成長があるだろう。現在、ＵＭＴＳのデータ処理能力を向上させるために、新しいＵＭＴＳユーザプレーン処理メカニズム、すなわち、直通のトンネルメカニズムが提案されている。図２中で図示したように、このメカニズムにおいて、ＵＭＴＳのユーザプレーン処理は、ＳＧＳＮがない、ＲＮＣとＧＧＳＮとの間にある。直通のトンネルメカニズムに対して、ＳＧＳＮは、制御プレーンの機能だけを取り扱い、それゆえに、制御プレーン処理とユーザプレーン処理は、別々である。
【００１０】
これから、図３ないし図６に関連して、ＧＥＲＡＮとＵＴＲＡＮとの間のハンドオーバまたは変更のプロセスを以下で説明する。
【００１１】
現在、プロトコル４３．１２９にしたがった、ＧＥＲＡＮからＵＴＲＡＮへハンドオーバするプロセスは、図３のように説明される。
【００１２】
ステップＳ３０１：ソース基地局サブシステム（ＢＳＳ）が、ＰＳハンドオーバを開始することを決定する。
【００１３】
ステップＳ３０２：ソースＢＳＳが、ＰＳハンドオーバ要求メッセージを古いＳＧＳＮに、すなわち、２Ｇ ＳＧＳＮに送信する。
【００１４】
ステップＳ３０３：２Ｇ ＳＧＳＮが、転送再配置要求メッセージを新しいＳＧＳＮに、すなわち、３Ｇ ＳＧＳＮに送信する。
【００１５】
ステップＳ３０４：３Ｇ ＳＧＳＮが、再配置要求メッセージを構築し、メッセージをターゲットＲＮＣに送信する。
【００１６】
ステップＳ３０５：ターゲットＲＮＣが、再配置要求肯定応答メッセージを３Ｇ ＳＧＳＮに送信する。
【００１７】
ステップＳ３０６：３Ｇ ＳＧＳＮが、転送再配置応答を２Ｇ ＳＧＳＮに送信する。
【００１８】
ステップＳ３０７：２Ｇ ＳＧＳＮが、ＧＧＳＮからＩＰパケットを受信し、ソースＢＳＳを介して、ＩＰパケットをＭＳに送信する。
【００１９】
ステップＳ３０８：２Ｇ ＳＧＳＮが、３Ｇ ＳＧＳＮを介して、ＩＰパケットをターゲットＲＮＣに転送する。
【００２０】
ステップＳ３０９：２Ｇ ＳＧＳＮが、ＰＳハンドオーバ要求肯定応答メッセージをソースＢＳＳに送信する。
【００２１】
ステップＳ３１０：ＭＳが、ＵＴＲＡＮに対するハンドオーバ完了メッセージをターゲットＲＮＣに送信する。
【００２２】
ステップＳ３１１：ターゲットＲＮＣが、再配置完了メッセージを３Ｇ ＳＧＳＮに送信する。
【００２３】
ステップＳ３１２：３Ｇ ＳＧＳＮが、更新ＰＤＰコンテキスト要求メッセージをＧＧＳＮに送信する。
【００２４】
ステップＳ３１３：ＧＧＳＮが、更新ＰＤＰコンテキスト応答メッセージを３Ｇ ＳＧＳＮに戻す。
【００２５】
ＵＴＲＡＮからＧＥＲＡＮへハンドオーバするプロセスは、図４のように説明される。
【００２６】
ステップＳ４０１：ソースＲＮＣが、ＰＳハンドオーバを開始することを決定する。
【００２７】
ステップＳ４０２：ソースＲＮＣが、再配置要求メッセージを古いＳＧＳＮに、すなわち、３Ｇ ＳＧＳＮに送信する。
【００２８】
ステップＳ４０３：３Ｇ ＳＧＳＮが、転送再配置要求メッセージを新しいＳＧＳＮに、すなわち、２Ｇ ＳＧＳＮに送信する。
【００２９】
ステップＳ４０４：２Ｇ ＳＧＳＮが、ＰＳハンドオーバ要求メッセージを構築し、メッセージをターゲットＢＳＳに送信する。
【００３０】
ステップＳ４０５：ターゲットＲＮＣが、ＰＳハンドオーバ要求肯定応答メッセージを２Ｇ ＳＧＳＮに送信する。
【００３１】
ステップＳ４０６：２Ｇ ＳＧＳＮが、転送再配置応答メッセージを３Ｇ ＳＧＳＮに送信する。
【００３２】
ステップＳ４０７：３Ｇ ＳＧＳＮが、ＧＧＳＮからＩＰパケットを受信し、ソースＲＮＣを介して、ＩＰパケットをＭＳに送信する。
【００３３】
ステップＳ４０８：３Ｇ ＳＧＳＮが、再配置コマンドメッセージをソースＲＮＣに送信する。
【００３４】
ステップＳ４０９：ソースＲＮＣが、ＩＰパケットを３Ｇ ＳＧＳＮに転送し、３Ｇ ＳＧＳＮは、ＩＰパケットを２Ｇ ＳＧＳＮに転送し、２Ｇ ＳＧＳＮは、ＩＰパケットをターゲットＢＳＳに転送する。
【００３５】
ステップＳ４１０：ターゲットＢＳＳが、ＰＳハンドオーバ完成メッセージを２Ｇ ＳＧＳＮに送信する。
【００３６】
ステップＳ４１１：２Ｇ ＳＧＳＮが、更新ＰＤＰコンテキスト要求メッセージをＧＧＳＮに送信する。
【００３７】
ステップＳ４１２：ＧＧＳＮが、更新ＰＤＰコンテキスト応答メッセージを２Ｇ ＳＧＳＮに戻す。
【００３８】
現在、プロトコル２３．０６０にしたがった、ＧＥＲＡＮからＵＴＲＡＮへ変更するプロセスは、図５のように説明される。
【００３９】
ステップＳ５０１：ＭＳが、システム間の変更を実行することを決定する。
【００４０】
ステップＳ５０２：ＭＳが、ルーティングエリア更新要求メッセージを新しいＳＧＳＮに、すなわち、３Ｇ ＳＧＳＮに送信する。
【００４１】
ステップＳ５０３：ユーザコンテキストを取得するために、３Ｇ ＳＧＳＮが、ＳＧＳＮコンテキスト要求メッセージを古いＳＧＳＮに、すなわち、２Ｇ ＳＧＳＮに送信する。
【００４２】
ステップＳ５０４：２Ｇ ＳＧＳＮが、ＳＧＳＮコンテキスト応答メッセージを３Ｇ ＳＧＳＮに戻し、コンテキスト応答メッセージ中でユーザコンテキスト情報を搬送する。
【００４３】
ステップＳ５０５：３Ｇ ＳＧＳＮが、ＳＧＳＮコンテキスト肯定応答メッセージを２Ｇ ＳＧＳＮに送信し、３Ｇ ＳＧＳＮがデータパケットを受信する準備ができていることを２Ｇ ＳＧＳＮに知らせる。
【００４４】
ステップＳ５０６：２Ｇ ＳＧＳＮが、バッファリングされているデータパケットを複製し、３Ｇ ＳＧＳＮに転送する。
【００４５】
ステップＳ５０７：３Ｇ ＳＧＳＮが、更新ＰＤＰコンテキスト要求メッセージをＧＧＳＮに送信する。
【００４６】
ステップＳ５０８：ＧＧＳＮが、更新ＰＤＰコンテキスト応答を３Ｇ ＳＧＳＮに戻す。
【００４７】
ステップＳ５０９：３Ｇ ＳＧＳＮが、ルーティングエリア更新受諾メッセージをＭＳに戻す。
【００４８】
ステップＳ５１０：ＭＳが、ルーティングエリア更新完了メッセージを３Ｇ ＳＧＳＮに戻す。
【００４９】
ステップＳ５１１：ＭＳが、サービス要求メッセージを３Ｇ ＳＧＳＮに送信する。
【００５０】
ステップＳ５１２：無線アクセスベアラ（ＲＡＢ）割当手続きが、３Ｇ ＳＧＳＮとＲＮＣとの間で実行され、それにより、ＲＡＢが確立される。
【００５１】
現在、プロトコル２３．０６０にしたがった、ＵＴＲＡＮからＧＥＲＡＮへ変更するプロセスは、図６のように説明される。
【００５２】
ステップＳ６０１：ＭＳが、システム間の変更を実行することを決定する。
【００５３】
ステップＳ６０２：ＭＳが、ルーティングエリア更新要求メッセージを新しいＳＧＳＮに、すなわち、２Ｇ ＳＧＳＮに送信する。
【００５４】
ステップＳ６０３：ユーザコンテキストを取得するために、２Ｇ ＳＧＳＮが、ＳＧＳＮコンテキスト要求メッセージを古いＳＧＳＮに、すなわち、３Ｇ ＳＧＳＮに送信する。
【００５５】
ステップＳ６０４：３Ｇ ＳＧＳＮが、ＳＲＮＳコンテキスト要求メッセージをソースＲＮＣに送信する。
【００５６】
ステップＳ６０５：ソースＲＮＣが、ＳＲＮＳコンテキスト応答メッセージを３Ｇ ＳＧＳＮに戻し、ダウンリンクデータをＭＳに送信することを停止し、データをバッファリングする。
【００５７】
ステップＳ６０６：３Ｇ ＳＧＳＮが、ＳＧＳＮコンテキスト応答メッセージを２Ｇ ＳＧＳＮに戻し、コンテキスト応答メッセージ中でユーザコンテキスト情報を搬送する。
【００５８】
ステップＳ６０７：２Ｇ ＳＧＳＮが、ＳＧＳＮコンテキスト肯定応答メッセージを３Ｇ ＳＧＳＮに送信し、２Ｇ ＳＧＳＮがデータパケットを受信する準備ができていることを３Ｇ ＳＧＳＮに知らせる。
【００５９】
ステップＳ６０８：３Ｇ ＳＧＳＮが、ＳＲＮＳデータ転送コマンドをソースＲＮＣに送信し、ソースＲＮＣはバッファリングされているデータパケットを複製し、３Ｇ ＳＧＳＮに転送する。
【００６０】
ステップＳ６０９：３Ｇ ＳＧＳＮが、データパケットを２Ｇ ＳＧＳＮに転送する。
【００６１】
ステップＳ６１０：２Ｇ ＳＧＳＮが、更新ＰＤＰコンテキスト要求メッセージをＧＧＳＮに送信する。
【００６２】
ステップＳ６１１：ＧＧＳＮが、更新ＰＤＰコンテキスト応答を２Ｇ ＳＧＳＮに戻す。
【００６３】
ステップＳ６１２：２Ｇ ＳＧＳＮが、ルーティングエリア更新受諾メッセージをＭＳに戻す。
【００６４】
ステップＳ５１０：ＭＳが、ルーティングエリア更新完了メッセージを２Ｇ ＳＧＳＮに戻す。
【００６５】
図３ないし図６中で説明したプロセスにおいて、ＧＥＲＡＮからＵＴＲＡＮへのハンドオーバまたは変更が起こるとき、ユーザプレーンデータ処理は、２Ｇ ３ＳＧＳＮにより転送されるデータを３Ｇ ＳＧＳＮがターゲットＲＮＣに転送することであり、ＵＴＲＡＮからＧＥＲＡＮへのハンドオーバまたは変更が起こるとき、ユーザプレーンデータ処理は、ソースＲＮＣにより転送されるデータを３Ｇ ＳＧＳＮが２Ｇ ＳＧＳＮに転送することである。しかしながら、３ＧＳＧＳＮがユーザプレーンデータ処理をもはや実行しない直通のトンネルメカニズムにおいて、データ転送は、３Ｇ ＳＧＳＮを介して実施できない。それゆえに、ＧＥＲＡＮとＵＴＲＡＮとの間でハンドオーバまたは変更が起こるときの既存のデータ処理方法は、直通のトンネルメカニズムに適合しない。
【発明の概要】
【発明が解決しようとする課題】
【００６６】
２Ｇシステムと３Ｇシステムとの間でハンドオーバまたは変更が起こるとき、直通のトンネルメカニズムにおいてデータ転送を実現するために、データ処理方法およびシステムを本発明により提供する。
【課題を解決するための手段】
【００６７】
本発明は、データ処理方法を提供する。方法は、ユーザプレーンアンカーネットワーク要素により、ソースデータ転送ネットワーク要素によって転送されるデータを受信することと、ユーザプレーンアンカーネットワーク要素により、ターゲット側処理ネットワーク要素にデータを転送することとを含む。
【００６８】
本発明は、データ処理方法をさらに提供する。方法は、ユーザプレーンアンカーネットワーク要素により、指示メッセージを受信し、ソースデータ転送ネットワーク要素と、ターゲット側処理ネットワーク要素とのうちの少なくとも１つにデータを送信することと、ユーザプレーンアンカーネットワーク要素により、ユーザプレーンルーティングを更新し、更新されたユーザプレーンルーティングにしたがって、メッセージ中で指示されるように、ターゲット側処理ネットワーク要素にデータを送信することとを含む。
【００６９】
本発明は、ソースデータ転送ネットワーク要素と、ユーザプレーンアンカーネットワーク要素と、ターゲット側処理ネットワーク要素とを含むデータ処理システムを提供する。
【００７０】
ユーザプレーンアンカーネットワーク要素には、ソースデータ転送ネットワーク要素により転送されるデータを受信するように適合されている受信ユニットと、受信データをターゲット側処理ネットワーク要素に転送するように適合されている送信ユニットとが設けられている。
【００７１】
本発明は、受信ユニットと、送信ユニットとを含むユーザプレーンアンカーネットワーク要素を提供する。受信ユニットは、ソースデータ転送ネットワーク要素により転送されるデータを受信するように適合されており、送信ユニットは、受信データをターゲット側処理ネットワーク要素に転送するように適合されている。
【００７２】
ＧＥＲＡＮとＵＴＲＡＮとの間でハンドオーバまたは変更が起こるとき、直通のトンネルメカニズムにおけるデータ処理方法により、ＧＧＳＮは、ソースデータ転送ネットワーク要素により転送されるデータをバッファリングし、次に、ターゲット側処理ネットワーク要素にデータを送信できる。代わりに、ＧＧＳＮは、ソースデータ転送ネットワーク要素により転送されるデータを、直接ターゲット側処理ネットワーク要素に送信できる。従来技術におけるデータ処理方法が直通のトンネルメカニズムにおいて適用できないという問題が解決され、ＧＥＲＡＮとＵＴＲＡＮとの間でハンドオーバまたは変更が起こるとき、直通のトンネルメカニズムにおけるサービスデータの通常の転送が達成される。
【図面の簡単な説明】
【００７３】
【図１】図１は、ＧＰＲＳ／ＵＭＴＳのネットワークアーキテクチャを図示する。
【図２】図２は、従来技術におけるユーザプレーン処理を図示する。
【図３】図３は、プロトコル４３．１２９にしたがった、ＧＥＲＡＮからＵＴＲＡＮへのハンドオーバが起こるときのデータ処理方法のフローチャートである。
【図４】図４は、プロトコル４３．１２９にしたがった、ＵＴＲＡＮからＧＥＲＡＮへのハンドオーバが起こるときのデータ処理方法のフローチャートである。
【図５】図５は、プロトコル２３．０６０にしたがった、ＧＥＲＡＮからＵＴＲＡＮへの変更が起こるときのデータ処理方法のフローチャートである。
【図６】図６は、プロトコル２３．０６０にしたがった、ＵＴＲＡＮからＧＥＲＡＮへの変更が起こるときのデータ処理方法のフローチャートである。
【図７】図７は、本発明の第１の実施形態にしたがった、ＧＥＲＡＮからＵＴＲＡＮへのハンドオーバが起こるときのデータ処理方法のフローチャートである。
【図８】図８は、本発明の第１の実施形態にしたがった、ＵＴＲＡＮからＧＥＲＡＮへのハンドオーバが起こるときのデータ処理方法のフローチャートである。
【図９】図９は、本発明の第１の実施形態にしたがった、ＧＥＲＡＮからＵＴＲＡＮへの変更が起こるときのデータ処理方法のフローチャートである。
【図１０】図１０は、本発明の第１の実施形態にしたがった、ＵＴＲＡＮからＧＥＲＡＮへの変更が起こるときのデータ処理方法のフローチャートである。
【図１１】図１１は、従来技術における、進化パケットコアネットワークのネットワークアーキテクチャを図示する。
【図１２】図１２は、本発明の第２の実施形態にしたがった、ＧＥＲＡＮからＵＴＲＡＮへのハンドオーバが起こるときのデータ処理方法のフローチャートである。
【図１３】図１３は、本発明の第２の実施形態にしたがった、ＵＴＲＡＮからＧＥＲＡＮへのハンドオーバが起こるときのデータ処理方法のフローチャートである。
【図１４】図１４は、本発明の第２の実施形態にしたがった、ＧＥＲＡＮからＵＴＲＡＮへの変更が起こるときのデータ処理方法のフローチャートである。
【図１５】図１５は、本発明の第２の実施形態にしたがった、ＵＴＲＡＮからＧＥＲＡＮへの変更が起こるときのデータ処理方法のフローチャートである。
【図１６】図１６は、本発明の第３の実施形態にしたがった、ＧＥＲＡＮからＵＴＲＡＮへのハンドオーバが起こるときのデータ処理方法のフローチャートである。
【図１７】図１７は、本発明の第３の実施形態にしたがった、ＵＴＲＡＮからＧＥＲＡＮへのハンドオーバが起こるときのデータ処理方法のフローチャートである。
【図１８】図１８は、本発明の第３の実施形態にしたがった、ＧＥＲＡＮからＵＴＲＡＮへの変更が起こるときのデータ処理方法のフローチャートである。
【図１９】図１９は、本発明の第３の実施形態にしたがった、ＵＴＲＡＮからＧＥＲＡＮへの変更が起こるときのデータ処理方法のフローチャートである。
【図２０】図２０は、本発明の１つの実施形態におい提供されるデータ処理システムの構造図である。
【発明を実施するための形態】
【００７４】
図面に関連して、本発明の例示的な実施形態を以下に詳細に記述する。
【００７５】
明細書において、データ処理方法の複数の実施形態を提供する。第１の方法を以下に記述する。方法は、ＧＥＲＡＮからＵＴＲＡＮへの変更またはハンドオーバが起こるとき、２Ｇ ＳＧＳＮがデータパケットをＧＧＳＮに転送し、ＧＧＳＮがデータパケットをターゲットＲＮＣに転送することと、ＵＴＲＡＮからＧＥＲＡＮへのハンドオーバが起こるとき、ソースＲＮＣがデータパケットをＧＧＳＮに転送し、ＧＧＳＮがデータパケットを２Ｇ ＳＧＳＮに転送し、２Ｇ ＳＧＳＮがデータパケットをターゲットＢＳＳに転送することとを含む。
【００７６】
これから図７を参照する。
【００７７】
図７中で説明したように、ＧＥＲＡＮからＵＴＲＡＮへのハンドオーバが起こるときのデータ処理方法は、次のステップを含む。
【００７８】
ステップＳ７０１：ソースＢＳＳが、ハンドオーバを開始することを決定する。
【００７９】
ステップＳ７０２：ソースＢＳＳが、ハンドオーバ要求メッセージを古いＳＧＳＮに、すなわち、２Ｇ ＳＧＳＮに送信する。
【００８０】
ステップＳ７０３：２Ｇ ＳＧＳＮが、転送再配置要求メッセージを新しいＳＧＳＮに、すなわち、３Ｇ ＳＧＳＮに送信する。
【００８１】
ステップＳ７０４：３Ｇ ＳＧＳＮが、再配置要求メッセージを構築し、メッセージをターゲットＲＮＣに送信する。
【００８２】
ステップＳ７０５：ターゲットＲＮＣが、再配置要求肯定応答メッセージを３Ｇ ＳＧＳＮに送信する。
【００８３】
ステップＳ７０６：３Ｇ ＳＧＳＮが、更新ＰＤＰコンテキスト要求メッセージをＧＧＳＮに送信して、ＧＧＳＮから３Ｇ ＳＧＳＮにユーザプレーンルーティングを変更するように要求する。
【００８４】
ステップＳ７０７：ＧＧＳＮが、更新ＰＤＰコンテキスト応答を３Ｇ ＳＧＳＮに戻す。
【００８５】
ステップＳ７０８：３Ｇ ＳＧＳＮが、転送データ要求をＧＧＳＮに送信して、データ転送のためのデータ転送トンネルを割り当てるようにＧＧＳＮに要求する。
【００８６】
ステップＳ７０９：ＧＧＳＮが、転送データ応答メッセージを３Ｇ ＳＧＳＮに戻し、データ転送トンネル識別子をデータ転送トンネルに割り当て、応答メッセージ中でデータ転送トンネル識別子を３Ｇ ＳＧＳＮに搬送する。データ転送トンネル識別子は、ＩＰアドレスと、ＴＥＩＤ（トンネル終点識別子）とを含む。
【００８７】
ステップＳ７１０：３Ｇ ＳＧＳＮが、転送再配置応答メッセージを２Ｇ ＳＧＳＮに送信する。メッセージ中で搬送されるデータ転送トンネル識別子は、ＧＧＳＮのデータ転送トンネル識別子である。
【００８８】
ステップＳ７１１：２Ｇ ＳＧＳＮが、ＧＧＳＮからデータパケットを受信し、ソースＢＳＳを介してデータパケットをＭＳに送信する。
【００８９】
ステップＳ７１２：損失のないサービスのデータのために、３Ｇ ＳＧＳＮにより送信された転送再配置応答メッセージ中で搬送されるデータ転送トンネル識別子にしたがって、２Ｇ ＳＧＳＮがデータパケットをＧＧＳＮに転送し、ＧＧＳＮは、２Ｇ ＳＧＳＮにより転送されるデータパケットを受信した後に、データパケットをバッファリングする。
【００９０】
ステップＳ７１３：２Ｇ ＳＧＳＮが、ハンドオーバ要求肯定応答メッセージをソースＢＳＳに送信する。
【００９１】
ステップＳ７１４：ＭＳが、ＵＴＲＡＮに対するハンドオーバ完了メッセージをターゲットＲＮＣに送信する。
【００９２】
ステップＳ７１５：ターゲットＲＮＣが、再配置完了メッセージを３Ｇ ＳＧＳＮに送信する。
【００９３】
ステップＳ７１６：３Ｇ ＳＧＳＮが、更新コンテキスト要求メッセージをＧＧＳＮに送信する。
【００９４】
ステップＳ７１７：ＧＧＳＮが、更新コンテキスト応答メッセージを３Ｇ ＳＧＳＮに戻す。
【００９５】
ステップＳ７１８：ＧＧＳＮが、バッファリングされている転送データパケットをターゲットＲＮＣに転送する。
【００９６】
図８に関して、ＵＴＲＡＮからＧＥＲＡＮへのハンドオーバが起こるときのデータ処理方法は、次のステップを含む。
【００９７】
ステップＳ８０１：ソースＲＮＣが、ハンドオーバを開始することを決定する。
【００９８】
ステップＳ８０２：ソースＲＮＣが、再配置要求メッセージを古いＳＧＳＮに、すなわち、３Ｇ ＳＧＳＮに送信する。
【００９９】
ステップＳ８０３：３Ｇ ＳＧＳＮが、転送再配置要求メッセージを新しいＳＧＳＮに、すなわち、２Ｇ ＳＧＳＮに送信する。
【０１００】
ステップＳ８０４：２Ｇ ＳＧＳＮが、ハンドオーバ要求メッセージを構築し、メッセージをターゲットＢＳＳに送信する。
【０１０１】
ステップＳ８０５：ターゲットＢＳＳが、ハンドオーバ要求肯定応答メッセージを２Ｇ ＳＧＳＮに送信する。
【０１０２】
ステップＳ８０６：２Ｇ ＳＧＳＮが、転送再配置応答メッセージを３Ｇ ＳＧＳＮに送信する。
【０１０３】
ステップＳ８０７：３Ｇ ＳＧＳＮが、転送データ要求をＧＧＳＮに送信して、データ転送のためのデータ転送チャネルを割り当てるようにＧＧＳＮに要求する。
【０１０４】
ステップＳ８０８：ＧＧＳＮが、転送データ応答メッセージを３Ｇ ＳＧＳＮに戻し、データ転送トンネル識別子をデータ転送チャネルに割り当て、応答メッセージ中でデータ転送トンネル識別子を３Ｇ ＳＧＳＮに搬送する。
【０１０５】
ステップＳ８０９：３Ｇ ＳＧＳＮが、ＧＧＳＮからデータパケットを受信し、ソースＲＮＣを介して、データパケットをＭＳに送信する。
【０１０６】
ステップＳ８１０：３Ｇ ＳＧＳＮが、再配置コマンドメッセージをソースＲＮＣに送信する。メッセージ中で搬送されるデータ転送トンネル識別子は、ＧＧＳＮのデータ転送トンネル識別子である。
【０１０７】
ステップＳ８１１：損失のないサービスのデータのために、３Ｇ ＳＧＳＮにより送信された再配置コマンドメッセージ中で搬送されるデータ転送トンネル識別子にしたがって、ソースＲＮＣが、データパケットをＧＧＳＮに転送し、ＧＧＳＮは、受信したデータパケットをバッファリングする。
【０１０８】
ステップＳ８１２：ターゲットＢＳＳが、ハンドオーバ完了メッセージを２Ｇ ＳＧＳＮに送信する。
【０１０９】
ステップＳ８１３：２Ｇ ＳＧＳＮが、更新コンテキスト要求メッセージをＧＧＳＮに送信する。
【０１１０】
ステップＳ８１４：ＧＧＳＮが、更新コンテキスト応答メッセージを２Ｇ ＳＧＳＮに戻す。
【０１１１】
ステップＳ８１５：ＧＧＳＮが、バッファリングされている転送データパケットを２Ｇ ＳＧＳＮに転送する。
【０１１２】
図９に関して、ＧＥＲＡＮからＵＴＲＡＮへの変更が起こるときのデータ処理方法は、次のステップを含む。
【０１１３】
ステップＳ９０１：ＭＳが、システム間の変更を開始することを決定する。
【０１１４】
ステップＳ９０２：ＭＳが、ルーティングエリア更新要求メッセージを新しいＳＧＳＮに、すなわち、３Ｇ ＳＧＳＮに送信する。
【０１１５】
ステップＳ９０３：ユーザコンテキストを取得するために、３Ｇ ＳＧＳＮが、ＳＧＳＮコンテキスト要求メッセージを古いＳＧＳＮに、すなわち、２Ｇ ＳＧＳＮに送信する。
【０１１６】
ステップＳ９０４：２Ｇ ＳＧＳＮが、ＳＧＳＮコンテキスト応答メッセージを３Ｇ ＳＧＳＮに戻し、メッセージ中でユーザコンテキスト情報を搬送する。
【０１１７】
ステップＳ９０５：３Ｇ ＳＧＳＮが、更新ＰＤＰコンテキスト要求メッセージをＧＧＳＮに送信して、ＧＧＳＮから３Ｇ ＳＧＳＮにユーザプレーンルーティングを変更することを要求する。
【０１１８】
ステップＳ９０６：ＧＧＳＮが、更新ＰＤＰコンテキスト応答を３Ｇ ＳＧＳＮに戻す。
【０１１９】
ステップＳ９０７：３Ｇ ＳＧＳＮが、転送データ要求メッセージをＧＧＳＮに送信して、データ転送のためのデータ転送トンネルを割り当てるようにＧＧＳＮに要求する。
【０１２０】
ステップＳ９０８：ＧＧＳＮが、転送データ応答メッセージを３Ｇ ＳＧＳＮに戻し、データ転送トンネル識別子をデータ転送トンネルに割り当て、応答メッセージ中でデータ転送トンネル識別子を３Ｇ ＳＧＳＮに搬送する。
【０１２１】
ステップＳ９０９：３Ｇ ＳＧＳＮが、ＳＧＳＮコンテキスト肯定応答メッセージを２Ｇ ＳＧＳＮに送信し、３Ｇ ＳＧＳＮがデータパケットを受信する準備ができていることを２Ｇ ＳＧＳＮに知らせる。メッセージ中で搬送されるデータ転送トンネル識別子は、ＧＧＳＮのデータ転送トンネル識別子である。
【０１２２】
ステップＳ９１０：２Ｇ ＳＧＳＮが、バッファリングされているデータパケットを複製し、３Ｇ ＳＧＳＮにより送信されたＳＧＳＮコンテキスト肯定応答メッセージ中で搬送されるデータ転送トンネル識別子にしたがって、ＧＧＳＮに転送し、ＧＧＳＮは、受信した転送データパケットをバッファリングする。
【０１２３】
ステップＳ９１１：３Ｇ ＳＧＳＮが、ルーティングエリア更新受諾メッセージをＭＳに戻す。
【０１２４】
ステップＳ９１２：ＭＳが、ルーティングエリア更新完了メッセージを３Ｇ ＳＧＳＮに戻す。
【０１２５】
ステップＳ９１３：ＭＳが、サービス要求メッセージを３Ｇ ＳＧＳＮに戻す。
【０１２６】
ステップＳ９１４：ＲＡＢ割当手続きが、３Ｇ ＳＧＳＮとＲＮＣとの間で実行され、それにより、ＲＡＢが確立される。
【０１２７】
ステップＳ９１５：３Ｇ ＳＧＳＮが、更新コンテキスト要求メッセージをＧＧＳＮに送信する。
【０１２８】
ステップＳ９１６：ＧＧＳＮが、更新コンテキスト応答メッセージを３Ｇ ＳＧＳＮに戻す。
【０１２９】
ステップＳ９１７：ＧＧＳＮが、バッファリングされている転送データパケットをターゲットＲＮＣに転送する。
【０１３０】
図１０に関して、ＵＴＲＡＮからＧＥＲＡＮへの変更が起こるときのデータ処理方法は、次のステップを含む。
【０１３１】
ステップＳ１００１：ＭＳが、システム間の変更を開始することを決定する。
【０１３２】
ステップＳ１００２：ＭＳが、ルーティングエリア更新要求メッセージを新しいＳＧＳＮに、すなわち、２Ｇ ＳＧＳＮに送信する。
【０１３３】
ステップＳ１００３：ユーザコンテキストを取得するために、２Ｇ ＳＧＳＮが、ＳＧＳＮコンテキスト要求メッセージを古いＳＧＳＮに、すなわち、３Ｇ ＳＧＳＮに送信する。
【０１３４】
ステップＳ１００４：３Ｇ ＳＧＳＮが、ＳＲＮＳコンテキスト要求メッセージをソースＲＮＣに送信する。
【０１３５】
ステップＳ１００５：ソースＲＮＣが、ＳＲＮＳコンテキスト応答メッセージを３Ｇ ＳＧＳＮに戻し、ダウリンクデータをＭＳに送信することを停止し、データをバッファリングする。
【０１３６】
ステップＳ１００６：３Ｇ ＳＧＳＮが、ＳＧＳＮコンテキスト応答メッセージを２Ｇ ＳＧＳＮに戻し、メッセージ中でユーザコンテキスト情報を搬送する。
【０１３７】
ステップＳ１００７：２Ｇ ＳＧＳＮが、ＳＧＳＮコンテキスト肯定応答メッセージを３Ｇ ＳＧＳＮに送信し、２Ｇ ＳＧＳＮがデータパケットを受信する準備ができていることを３Ｇ ＳＧＳＮに知らせる。
【０１３８】
ステップＳ１００８：３Ｇ ＳＧＳＮが、転送データ要求をＧＧＳＮに送信して、データ転送のためのデータ転送トンネルを割り当てるようにＧＧＳＮに要求する。
【０１３９】
ステップＳ１００９：ＧＧＳＮが、転送データ応答メッセージを３Ｇ ＳＧＳＮに戻し、データ転送トンネル識別子をデータ転送トンネルに割り当て、応答メッセージ中でデータ転送トンネル識別子を３Ｇ ＳＧＳＮに搬送する。
【０１４０】
ステップＳ１０１０：３Ｇ ＳＧＳＮが、ＳＲＮＳデータ転送コマンドをソースＲＮＣに送信する。メッセージ中で搬送されるデータ転送トンネル識別子は、ＧＧＳＮのデータ転送トンネル識別子であり、ソースＲＮＣは、バッファリングされているデータパケットを複製し、ＧＧＳＮに転送し、ＧＧＳＮは、転送されたデータパケットをバッファリングする。
【０１４１】
ステップＳ１０１１：２Ｇ ＳＧＳＮが、更新ＰＤＰコンテキスト要求メッセージをＧＧＳＮに送信する。
【０１４２】
ステップＳ１０１２：ＧＧＳＮが、更新ＰＤＰコンテキスト応答メッセージを２Ｇ ＳＧＳＮに戻す。
【０１４３】
ステップＳ１０１３：ＧＧＳＮが、バッファリングされている転送データパケットを２Ｇ ＳＧＳＮに転送する。
【０１４４】
ステップＳ１０１４：２Ｇ ＳＧＳＮが、ルーティングエリア更新受諾メッセージをＭＳに戻す。
【０１４５】
ステップＳ１０１５：ＭＳが、ルーティングエリア更新完了メッセージを２Ｇ ＳＧＳＮに戻す。
【０１４６】
将来において、他に負けない利点を強化するために、３ＧＰＰは、システムアーキテクチャエボリューション（ＳＡＥ）およびロングタームエボリューション（ＬＴＥ）アクセスネットワークを含む、新しい進化したネットワークアーキテクチャを研究している。進化（ｅｖｏｌｖｅｄ）アクセスネットワークはＥ−ＵＴＲＡＮとして知られており、図１１のように図示される、進化パケットコアネットワークのネットワークアーキテクチャは、モビリティマネジメントエンティティ（ＭＭＥ）と、ユーザプレーンエンティティ（ＵＰＥ）と、アクセスシステム間アンカー（ＩＡＳＡ）とを含む。ＭＭＥは、ＧＰＲＳ／ＵＭＴＳ内部のＳＧＳＮの制御プレーンに対応する、ユーザコンテキストおよびモビリティステータスマネジメントや、ユーザ一時識別識別子割当などを含む、制御プレーンにおけるモビリティマネジメントを実行する。ＵＰＥは、アイドル状態におけるダウンリンクデータに対するページングを開始するために使用され、ＧＰＲＳ／ＵＭＴＳにおけるＳＧＳＮおよびＧＧＳＮのデータプレーンに対応する、ネットワーク内部のＩＰベアラパラメータおよびルーティング情報などを管理し、記憶する。ＩＡＳＡは、異なるシステム間の、ユーザプレーンにおけるアンカーである。ポリシーおよび課金ルール機能（ＰＣＲＦ）エンティティが、ポリシー制御決定と、データフローの課金制御とに対して使用される。ホーム加入者サーバ（ＨＳＳ）が、ユーザの加入情報を記憶するために使用される。
【０１４７】
ＳＡＥシステムに対して、ＭＭＥとＵＰＥが別々であり、かつ、ＵＰＥと３ＧＰＰアンカーが同じエンティティ中にある場合、体系的なアーキテクチャは、直通のトンネルメカニズムにおけるアーキテクチャと類似しており、ＭＭＥがＳＧＳＮに対応し、ＵＰＥ／３ＧＰＰアンカー（以後ＵＰＥと呼ぶ）がＧＧＳＮに対応する。それゆえに、ＧＥＲＡＮ／ＵＴＲＡＮシステムとＳＡＥシステムとの間でハンドオーバまたは変更が起こるとき、上述したデータ転送処理方法をデータ転送のために使用できる。
【０１４８】
ＧＥＲＡＮシステムからＳＡＥシステムへのハンドオーバまたは変更が起こるとき、ＭＭＥとＵＰＥ（ＧＥＲＡＮ／ＵＴＲＡＮおよびＳＡＥのユーザプレーンアンカー）が、転送データ要求メッセージと転送データ応答メッセージとを含むメッセージを交換して、ＵＰＥのデータ転送トンネル識別子を取得し、ＵＰＥのデータ転送トンネル識別子を２Ｇ ＳＧＳＮに知らせる。２Ｇ ＳＧＳＮは、データパケットをＵＰＥに転送する。ＵＰＥは、転送されたデータパケットをバッファリングし、ユーザプレーンルーティングの更新が完了すると、バッファリングされている転送データパケットを進化アクセスネットワークに転送する。
【０１４９】
ＳＡＥシステムからＧＥＲＡＮシステムへのハンドオーバまたは変更が起こるとき、ＭＭＥとＵＰＥが、転送データ要求メッセージと転送データ応答メッセージとを含むメッセージを交換して、ＵＰＥのデータ転送トンネル識別子を取得し、ＵＰＥのデータ転送トンネル識別子を進化アクセスネットワークに知らせる。進化アクセスネットワークは、データパケットをＵＰＥに転送する。ＵＰＥは、転送されたデータパケットをバッファリングし、ユーザプレーンルーティングの更新が完了すると、バッファリングされている転送データパケットを２Ｇ ＳＧＳＮに転送する。
【０１５０】
ＵＴＲＡＮシステムからＳＡＥシステムへのハンドオーバまたは変更が起こるとき、３Ｇ ＳＧＳＮおよびＵＰＥが、転送データ要求メッセージと転送データ応答メッセージとを含むメッセージを交換して、ＵＰＥのデータ転送トンネル識別子を取得し、ＵＰＥのデータ転送トンネル識別子をソースＲＮＣに知らせる。ソースＲＮＣは、データパケットをＵＰＥに転送し、ＵＰＥは、転送されたデータパケットをバッファリングし、ユーザプレーンルーティングの更新が完了すると、バッファリングされている転送データパケットを進化アクセスネットワークに転送する。
【０１５１】
ＳＡＥシステムからＵＴＲＡＮシステムへのハンドオーバまたは変更が起こるとき、ＭＭＥとＵＰＥが、転送データ要求メッセージと転送データ応答メッセージとを含むメッセージを交換して、ＵＰＥのデータ転送トンネル識別子を取得し、ＵＰＥのデータ転送トンネル識別子を進化アクセスネットワークに知らせる。進化アクセスネットワークは、データパケットをＵＰＥに転送する。ＵＰＥは、転送されたデータパケットをバッファリングし、ユーザプレーンルーティングの更新が完了すると、バッファリングされている転送データパケットをターゲットＲＮＣに転送する。
【０１５２】
これから、図１２ないし図１５を参照する。本発明により提供される別のデータ処理方法の実施形態を記述する。
【０１５３】
図１２に関して、ＧＥＲＡＮからＵＴＲＡＮへのハンドオーバが起こるときのデータ処理方法は、次のステップを含む。
【０１５４】
ステップ１２０１：ソースＢＳＳが、ハンドオーバを開始することを決定する。
【０１５５】
ステップ１２０２：ソースＢＳＳが、ハンドオーバ要求メッセージを古いＳＧＳＮに、すなわち、２Ｇ ＳＧＳＮに送信する。
【０１５６】
ステップ１２０３：２Ｇ ＳＧＳＮが、転送再配置要求メッセージを新しいＳＧＳＮに、すなわち、３Ｇ ＳＧＳＮに送信する。
【０１５７】
ステップ１２０４：３Ｇ ＳＧＳＮが、再配置要求メッセージを構築し、メッセージをターゲットＲＮＣに送信する。
【０１５８】
ステップ１２０５：ターゲットＲＮＣが、再配置要求肯定応答メッセージを３Ｇ ＳＧＳＮに送信する。
【０１５９】
ステップ１２０６：３Ｇ ＳＧＳＮが、転送データ要求メッセージをＧＧＳＮに送信して、データ転送のためのデータ転送トンネルを割り当てるようにＧＧＳＮに要求する。ターゲットＲＮＣ側のＧＴＰトンネルの識別子がメッセージ中で搬送され、その後、ＧＧＳＮは、損失のないサービスのデータをＧＴＰトンネルに転送する。
【０１６０】
ステップ１２０７：ＧＧＳＮが、転送データ応答メッセージを３Ｇ ＳＧＳＮに戻し、データ転送トンネル識別子をデータ転送トンネルに割り当て、応答メッセージ中で３Ｇ ＳＧＳＮに送信する。
【０１６１】
ステップ１２０８：３Ｇ ＳＧＳＮが、転送再配置応答メッセージを２Ｇ ＳＧＳＮに送信する。メッセージ中で搬送されるデータ転送トンネル識別子は、ＧＧＳＮのデータ転送トンネル識別子である。
【０１６２】
ステップ１２０９：２Ｇ ＳＧＳＮが、ＧＧＳＮからデータパケットを受信し、ソースＢＳＳを介して、データパケットをＭＳに送信する。
【０１６３】
ステップ１２１０：損失のないサービスのデータのために、３Ｇ ＳＧＳＮにより送信された転送再配置応答メッセージ中で搬送されるデータ転送トンネル識別子にしたがって、２Ｇ ＳＧＳＮがデータパケットをＧＧＳＮに転送し、２Ｇ ＳＧＳＮにより転送されたデータパケットを受信すると、ＧＧＳＮは、そのデータパケットをターゲットＲＮＣに転送する。
【０１６４】
ステップ１２１１：２Ｇ ＳＧＳＮが、ハンドオーバ要求肯定応答メッセージをソースＢＳＳに送信する。
【０１６５】
ステップＳ１２１２：ＭＳが、ＵＴＲＡＮに対するハンドオーバ完了メッセージをターゲットＲＮＣに送信する。
【０１６６】
ステップＳ１２１３：ターゲットＲＮＣが、再配置完了メッセージを３Ｇ ＳＧＳＮに送信する。
【０１６７】
ステップＳ１２１４：３Ｇ ＳＧＳＮが、更新コンテキスト要求メッセージをＧＧＳＮに送信する。
【０１６８】
ステップＳ１２１５：ＧＧＳＮが、更新コンテキスト応答メッセージを３Ｇ ＳＧＳＮに戻す。
【０１６９】
図１３に関して、ＵＴＲＡＮからＧＥＲＡＮへのハンドオーバが起こるときのデータ処理方法は次のステップを含む。
【０１７０】
ステップＳ１３０１：ソースＲＮＣが、ハンドオーバを開始することを決定する。
【０１７１】
ステップＳ１３０２：ソースＲＮＣが、再配置要求メッセージを古いＳＧＳＮに、すなわち、３Ｇ ＳＧＳＮに送信する。
【０１７２】
ステップＳ１３０３：３Ｇ ＳＧＳＮが、転送再配置要求メッセージを新しいＳＧＳＮに、すなわち、２Ｇ ＳＧＳＮに送信する。
【０１７３】
ステップＳ１３０４：２Ｇ ＳＧＳＮが、ハンドオーバ要求メッセージを構築し、メッセージをターゲットＢＳＳに送信する。
【０１７４】
ステップＳ１３０５：ターゲットＢＳＳが、ハンドオーバ要求肯定応答メッセージを２Ｇ ＳＧＳＮに送信する。
【０１７５】
ステップＳ１３０６：２Ｇ ＳＧＳＮが、転送再配置応答メッセージを３Ｇ ＳＧＳＮに送信する。
【０１７６】
ステップＳ１３０７：３Ｇ ＳＧＳＮが、転送データ要求をＧＧＳＮに送信して、データ転送のためのデータ転送トンネルを割り当てるようにＧＧＳＮに要求する。２Ｇ ＳＧＳＮのデータ転送トンネルの識別子がメッセージ中で搬送され、その後、ＧＧＳＮは、損失のないサービスのデータをデータ転送トンネルに転送する。
【０１７７】
ステップＳ１３０８：ＧＧＳＮが、転送データ応答メッセージを３Ｇ ＳＧＳＮに戻し、データ転送トンネル識別子をデータ転送トンネルに割り当て、応答メッセージ中でデータ転送トンネル識別子を３Ｇ ＳＧＳＮに搬送する。
【０１７８】
ステップＳ１３０９：３Ｇ ＳＧＳＮが、ＧＧＳＮからデータパケットを受信し、ソースＲＮＣを介して、データパケットをＭＳに送信する。
【０１７９】
ステップＳ１３１０：３Ｇ ＳＧＳＮが、再配置コマンドメッセージをソースＲＮＣに送信する。メッセージ中で搬送されるデータ転送トンネル識別子は、ＧＧＳＮのデータ転送トンネル識別子である。
【０１８０】
ステップＳ１３１１：損失のないサービスのデータのために、３Ｇ ＳＧＳＮにより送信された再配置コマンドメッセージ中で搬送されるデータ転送トンネル識別子にしたがって、ソースＲＮＣが、データパケットをＧＧＳＮに転送し、ソースＲＮＣにより転送されたデータパケットを受信すると、ＧＧＳＮは、そのデータパケットを２Ｇ ＳＧＳＮに転送し、２Ｇ ＳＧＳＮは、データパケットをターゲットＢＳＳに転送する。
【０１８１】
ステップＳ１３１２：ターゲットＢＳＳが、ハンドオーバ完了メッセージを２Ｇ ＳＧＳＮに送信する。
【０１８２】
ステップＳ１３１３：２Ｇ ＳＧＳＮが、更新コンテキスト要求メッセージをＧＧＳＮに送信する。
【０１８３】
ステップＳ１３１４：ＧＧＳＮが、更新コンテキスト応答メッセージを２Ｇ ＳＧＳＮに戻す。
【０１８４】
図１４に関して、ＧＥＲＡＮからＵＴＲＡＮへの変更が起こるときのデータ処理方法は、次のステップを含む。
【０１８５】
ステップＳ１４０１：ＭＳが、システム間の変更を開始することを決定する。
【０１８６】
ステップＳ１４０２：ＭＳが、ルーティングエリア更新要求メッセージを新しいＳＧＳＮに、すなわち、３Ｇ ＳＧＳＮに送信する。
【０１８７】
ステップＳ１４０３：ユーザコンテキストを取得するために、３Ｇ ＳＧＳＮが、ＳＧＳＮコンテキスト要求メッセージを古いＳＧＳＮに、すなわち、２Ｇ ＳＧＳＮに送信する。
【０１８８】
ステップＳ１４０４：２Ｇ ＳＧＳＮが、ＳＧＳＮコンテキスト応答メッセージを３Ｇ ＳＧＳＮに戻し、メッセージ中でユーザコンテキスト情報を搬送する。
【０１８９】
ステップＳ１４０５：ＲＡＢ割当手続きが、３Ｇ ＳＧＳＮとＲＮＣとの間で実行され、それによりＲＡＢが確立される。
【０１９０】
ステップＳ１４０６：３Ｇ ＳＧＳＮが、更新ＰＤＰコンテキスト要求メッセージをＧＧＳＮに送信して、ＧＧＳＮから３Ｇ ＳＧＳＮへユーザプレーンルーティングを変更することを要求する。
【０１９１】
ステップＳ１４０７：ＧＧＳＮが、更新ＰＤＰコンテキスト応答を３Ｇ ＳＧＳＮに戻す。
【０１９２】
ステップＳ１４０８：３Ｇ ＳＧＳＮが、転送データ要求メッセージをＧＧＳＮに送信して、データ転送のためのデータ転送トンネルを割り当てるようにＧＧＳＮに要求する。ターゲットＲＮＣ側のＧＴＰトンネルの識別子がメッセージ中で搬送され、その後、ＧＧＳＮは、損失のないサービスのデータをＧＴＰトンネルに転送する。
【０１９３】
ステップＳ１４０９：ＧＧＳＮが、転送データ応答メッセージを３Ｇ ＳＧＳＮに戻し、データ転送トンネル識別子をデータ転送トンネルに割り当て、応答メッセージ中でデータ転送トンネル識別子を３Ｇ ＳＧＳＮに搬送する。
【０１９４】
ステップＳ１４１０：３Ｇ ＳＧＳＮが、ＳＧＳＮコンテキスト肯定応答メッセージを２Ｇ ＳＧＳＮに送信し、３Ｇ ＳＧＳＮがデータパケットを受信する準備ができていることを２Ｇ ＳＧＳＮに知らせる。メッセージ中で搬送されるデータ転送トンネル識別子は、ＧＧＳＮのデータ転送トンネル識別子である。
【０１９５】
ステップＳ１４１１：２Ｇ ＳＧＳＮが、バッファリングされているデータパケットを複製し、３Ｇ ＳＧＳＮにより送信されたＳＧＳＮコンテキスト肯定応答メッセージ中で搬送されるデータ転送トンネル識別子にしたがって、ＧＧＳＮに転送し、２Ｇ ＳＧＳＮにより転送されたデータパケットを受信すると、ＧＧＳＮは、そのデータパケットをターゲットＲＮＣに転送する。
【０１９６】
ステップＳ１４１２：３Ｇ ＳＧＳＮが、ルーティングエリア更新受諾メッセージをＭＳに戻す。
【０１９７】
ステップＳ１４１３：ＭＳが、ルーティングエリア更新完了メッセージを３Ｇ ＳＧＳＮに戻す。
【０１９８】
ステップＳ１４１４：ＧＧＳＮ中のユーザコンテキストのダウンリンクＧＴＰトンネル識別子をＲＮＣのＧＴＰトンネル識別子に変更するために、３Ｇ ＳＧＳＮが、更新コンテキスト要求メッセージをＧＧＳＮに送信する。
【０１９９】
ステップＳ１４１５：ＧＧＳＮが、更新コンテキスト応答メッセージを３Ｇ ＳＧＳＮに戻す。
【０２００】
図１５に関して、ＵＴＲＡＮからＧＥＲＡＮへの変更が起こるときのデータ処理方法は、次のステップを含む。
【０２０１】
ステップＳ１５０１：ＭＳが、システム間の変更を開始することを決定する。
【０２０２】
ステップＳ１５０２：ＭＳが、ルーティングエリア更新要求メッセージを新しいＳＧＳＮに、すなわち、２Ｇ ＳＧＳＮに送信する。
【０２０３】
ステップＳ１５０３：ユーザコンテキストを取得するために、２Ｇ ＳＧＳＮが、ＳＧＳＮコンテキスト要求メッセージを古いＳＧＳＮに、すなわち、３Ｇ ＳＧＳＮに送信する。
【０２０４】
ステップＳ１５０４：３Ｇ ＳＧＳＮが、ＳＲＮＳコンテキスト要求メッセージをソースＲＮＣに送信する。
【０２０５】
ステップＳ１５０５：ソースＲＮＣが、ＳＲＮＳコンテキスト応答メッセージを３Ｇ ＳＧＳＮに戻し、ダウンリンクデータをＭＳに送信することを停止し、データをバッファリングする。
【０２０６】
ステップＳ１５０６：３Ｇ ＳＧＳＮが、ＳＧＳＮコンテキスト応答メッセージを２Ｇ ＳＧＳＮに戻し、メッセージ中でユーザコンテキスト情報を搬送する。
【０２０７】
ステップＳ１５０７：２Ｇ ＳＧＳＮが、ＳＧＳＮコンテキスト肯定応答メッセージを３Ｇ ＳＧＳＮに送信し、２Ｇ ＳＧＳＮがデータパケットを受信する準備ができていることを３Ｇ ＳＧＳＮに知らせる。
【０２０８】
ステップＳ１５０８：３Ｇ ＳＧＳＮが、転送データ要求をＧＧＳＮに送信して、データ転送のためのデータ転送トンネルを割り当てるようにＧＧＳＮに要求する。２Ｇ ＳＧＳＮのデータ転送トンネルの識別子がメッセージ中で搬送され、その後、ＧＧＳＮは、損失のないサービスのデータをデータ転送チャネルに転送する。
【０２０９】
ステップＳ１５０９：ＧＧＳＮが、転送データ応答メッセージを３Ｇ ＳＧＳＮに戻し、データ転送トンネル識別子をデータ転送トンネルに割り当て、応答メッセージ中でデータ転送トンネル識別子を３Ｇ ＳＧＳＮに搬送する。
【０２１０】
ステップＳ１５１０：３Ｇ ＳＧＳＮが、ＳＲＮＳデータ転送コマンドをソースＲＮＣに送信する。メッセージ中で搬送されるデータ転送トンネル識別子は、ＧＧＳＮのデータ転送トンネル識別子であり、ソースＲＮＣは、バッファリングされているデータパケットを複製し、ＧＧＳＮに転送する。ソースＲＮＣにより転送されたデータパケットを受信すると、ＧＧＳＮは、そのデータパケットを２Ｇ ＳＧＳＮに転送する。
【０２１１】
ステップＳ１５１１：２Ｇ ＳＧＳＮが、更新ＰＤＰコンテキスト要求メッセージをＧＧＳＮに送信する。
【０２１２】
ステップＳ１５１２：ＧＧＳＮが、更新ＰＤＰコンテキスト応答メッセージを２Ｇ ＳＧＳＮに戻す。
【０２１３】
ステップＳ１５１３：２Ｇ ＳＧＳＮが、ルーティングエリア更新受諾メッセージをＭＳに戻す。
【０２１４】
ステップＳ１５１４：ＭＳが、ルーティングエリア更新完了メッセージを２Ｇ ＳＧＳＮに戻す。
【０２１５】
ＧＥＲＡＮ／ＵＴＲＡＮシステムと、ＳＡＥシステムとの間でハンドオーバまたは変更が起こるとき、上述したデータ転送処理方法をデータ転送のために使用できる。
【０２１６】
ＧＥＲＡＮシステムからＳＡＥシステムへのハンドオーバまたは変更が起こるとき、ＭＭＥとＵＰＥが、転送データ要求メッセージと転送データ応答メッセージとを含むメッセージを交換して、ＵＰＥのデータ転送トンネル識別子を取得する。その間に、ＭＭＥは、アクセスネットワーク側のトンネル識別子をＵＰＥに知らせ、ＵＰＥのデータ転送トンネル識別子を２Ｇ ＳＧＳＮに知らせる。２Ｇ ＳＧＳＮは、データパケットをＵＰＥに転送し、ＵＰＥはさらに、データパケットを進化アクセスネットワークに転送する。
【０２１７】
ＳＡＥシステムからＧＥＲＡＮシステムへのハンドオーバまたは変更が起こるとき、ＭＭＥとＵＰＥが、転送データ要求メッセージと転送データ応答メッセージとを含むメッセージを交換して、ＵＰＥのデータ転送トンネル識別子を取得する。その間に、ＭＭＥは、２Ｇ ＳＧＳＮのトンネル識別子をＵＰＥに知らせ、次に、ＵＰＥのデータ転送トンネル識別子を進化アクセスネットワークに知らせる。進化アクセスネットワークは、データパケットをＵＰＥに転送し、ＵＰＥはさらに、データパケットを２Ｇ ＳＧＳＮに転送する。
【０２１８】
ＵＴＲＡＮシステムからＳＡＥシステムへのハンドオーバまたは変更が起こるとき、３Ｇ ＳＧＳＮとＵＰＥが、転送データ要求メッセージと転送データ応答メッセージとを含むメッセージを交換して、ＵＰＥのデータ転送トンネル識別子を取得する。その間に、ＵＰＥは、進化アクセスネットワーク側のトンネル識別子を知らされる。次に、３Ｇ ＳＧＳＮは、ＵＰＥのデータ転送トンネル識別子をソースＲＮＣに知らせる。ソースＲＮＣは、データパケットをＵＰＥに転送し、ＵＰＥはさらに、データパケットを進化アクセスネットワークに転送する。
【０２１９】
ＳＡＥシステムからＵＴＲＡＮシステムへのハンドオーバまたは変更が起こるとき、ＭＭＥとＵＰＥが、転送データ要求メッセージと転送データ応答メッセージとを含むメッセージを交換して、ＵＰＥのデータ転送トンネル識別子を取得する。その間に、ＭＭＥは、ターゲットＲＮＣのトンネル識別子をＵＰＥに知らせ、次に、ＵＰＥのデータ転送トンネル識別子を進化アクセスネットワークに知らせる。進化アクセスネットワークは、データパケットをＵＰＥに転送し、ＵＰＥはさらに、データパケットをターゲットＲＮＣに転送する。
【０２２０】
システム間のハンドオーバまたは変更が起こるときの別のデータ処理方法を、次のものを含む本発明の１つの実施形態により提供する。
【０２２１】
指示を受信すると、ユーザプレーンアンカーネットワーク要素が、ソースデータ転送ネットワーク要素およびターゲット側処理ネットワーク要素に、データを送信する。指示は、ソースデータ転送ネットワーク要素とターゲット側処理ネットワーク要素とにデータを送信するようにユーザプレーンアンカーネットワーク要素に指示するバイキャスト（ｂｉｃａｓｔ）コマンド指示であってもよい。ユーザプレーンルーティングの更新が完了すると、ユーザプレーンアンカーネットワーク要素は、バイキャストすることを停止し、ターゲット側処理ネットワーク要素だけにデータを送信する。
【０２２２】
図１６に関して、ＧＥＲＡＮからＵＴＲＡＮへのハンドオーバが起こるときのデータ処理方法は、次のステップを含む。
【０２２３】
ステップ１６０１：ソースＢＳＳが、ハンドオーバを開始することを決定する。
【０２２４】
ステップ１６０２：ソースＢＳＳが、ハンドオーバ要求メッセージを古いＳＧＳＮに、すなわち、２Ｇ ＳＧＳＮに送信する。
【０２２５】
ステップ１６０３：２Ｇ ＳＧＳＮが、転送再配置要求メッセージを新しいＳＧＳＮに、すなわち、３Ｇ ＳＧＳＮに送信する。
【０２２６】
ステップ１６０４：３Ｇ ＳＧＳＮが、再配置要求メッセージを構築し、メッセージをターゲットＲＮＣに送信する。
【０２２７】
ステップ１６０５：ターゲットＲＮＣが、再配置要求肯定応答メッセージを３Ｇ ＳＧＳＮに送信する。
【０２２８】
ステップ１６０６：３Ｇ ＳＧＳＮが、転送再配置応答メッセージを２Ｇ ＳＧＳＮに送信し、メッセージ中で指示が搬送されて、データ転送を実行しないように２Ｇ ＳＧＳＮに指示する。
【０２２９】
ステップ１６０７：３Ｇ ＳＧＳＮが、バイキャストコマンドメッセージをＧＧＳＮに送信し、２Ｇ ＳＧＳＮとターゲットＲＮＣとにデータを送信するようにＧＧＳＮに指示する。ターゲットＲＮＣのＧＴＰトンネル識別子がメッセージ中で搬送される。
【０２３０】
ステップ１６０８：ＧＧＳＮがダウンリンクデータパケットを、２Ｇ ＳＧＳＮとターゲットＲＮＣとに送信する。
【０２３１】
ステップ１６０９：２Ｇ ＳＧＳＮが、ハンドオーバ要求肯定応答メッセージをソースＢＳＳに送信する。
【０２３２】
ステップ１６１０：ＭＳが、ＵＴＲＡＮに対するハンドオーバ完了メッセージをターゲットＲＮＣに送信する。
【０２３３】
ステップ１６１１：ターゲットＲＮＣが、再配置完了メッセージを３Ｇ ＳＧＳＮに送信する。
【０２３４】
ステップ１６１２：ＰＤＰコンテキスト更新のプロセスが、３Ｇ ＳＧＳＮとＧＧＳＮとの間で実行され、ＧＧＳＮ中のユーザのダウンリンクＧＴＰトンネル識別子を、ターゲットＲＮＣのＧＴＰトンネル識別子に変更し、ＧＧＳＮは、プロセスにおいてデータのバイキャストを停止する。
【０２３５】
ステップ１６１３：ＧＧＳＮが、ダウンリンクデータパケットをターゲットＲＮＣに送信する。
【０２３６】
図１７に関して、ＵＴＲＡＮからＧＥＲＡＮへのハンドオーバが起こるときのデータ処理方法は、次のステップを含む。
【０２３７】
ステップＳ１７０１：ソースＲＮＣが、ハンドオーバを開始することを決定する。
【０２３８】
ステップＳ１７０２：ソースＲＮＣが、再配置要求メッセージを古いＳＧＳＮに、すなわち、３Ｇ ＳＧＳＮに送信する。
【０２３９】
ステップＳ１７０３：３Ｇ ＳＧＳＮが、転送再配置要求メッセージを新しいＳＧＳＮに、すなわち、２Ｇ ＳＧＳＮに送信する。
【０２４０】
ステップＳ１７０４：２Ｇ ＳＧＳＮが、ハンドオーバ要求メッセージを構築し、メッセージをターゲットＢＳＳに送信する。
【０２４１】
ステップＳ１７０５：ターゲットＢＳＳが、ハンドオーバ要求肯定応答メッセージを２Ｇ ＳＧＳＮに送信する。
【０２４２】
ステップＳ１７０６：２Ｇ ＳＧＳＮが、転送再配置応答メッセージを３Ｇ ＳＧＳＮに送信する。
【０２４３】
ステップＳ１７０７：３Ｇ ＳＧＳＮが、バイキャストコマンドメッセージをＧＧＳＮに送信し、ソースＲＮＣと２Ｇ ＳＧＳＮとにデータを送信するようにＧＧＳＮに指示する。２Ｇ ＳＧＳＮのＧＴＰトンネル識別子がメッセージ中で搬送される。
【０２４４】
ステップＳ１７０８：ＧＧＳＮがダウンリンクデータパケットを、ソースＲＮＣと２Ｇ ＳＧＳＮとに送信する。
【０２４５】
ステップＳ１７０９：３Ｇ ＳＧＳＮが、再配置コマンドメッセージをソースＲＮＣに送信し、メッセージ中で指示が搬送されて、データ転送を実行しないようにソースＲＮＣに指示する。
【０２４６】
ステップＳ１７１０：ターゲットＢＳＳが、ハンドオーバ完了メッセージを２Ｇ ＳＧＳＮに送信する。
【０２４７】
ステップＳ１７１１：ＰＤＰコンテキスト更新のプロセスが、２Ｇ ＳＧＳＮとＧＧＳＮとの間で実行され、ＧＧＳＮ中のユーザのダウンリンクＧＴＰトンネル識別子を、２Ｇ ＳＧＳＮのＧＴＰトンネル識別子に変更し、ＧＧＳＮは、プロセスにおいてデータのバイキャストを停止する。
【０２４８】
ステップＳ１７１２：ＧＧＳＮが、ダウンリンクデータパケットを２Ｇ ＳＧＳＮに送信し、２Ｇ ＳＧＳＮは、ダウンリンクデータパケットをターゲットＢＳＳに送信する。
【０２４９】
図１８に関して、ＧＥＲＡＮからＵＴＲＡＮへの変更が起こるときのデータ処理方法は、次のステップを含む。
【０２５０】
ステップＳ１８０１：ＭＳが、システム間の変更を開始することを決定する。
【０２５１】
ステップＳ１８０２：ＭＳが、ルーティングエリア更新要求メッセージを新しいＳＧＳＮに、すなわち、３Ｇ ＳＧＳＮに送信する。
【０２５２】
ステップＳ１８０３：ユーザコンテキストを取得するために、３Ｇ ＳＧＳＮが、ＳＧＳＮコンテキスト要求メッセージを古いＳＧＳＮに、すなわち、２Ｇ ＳＧＳＮに送信する。
【０２５３】
ステップＳ１８０４：２Ｇ ＳＧＳＮが、ＳＧＳＮコンテキスト応答メッセージを３Ｇ ＳＧＳＮに戻し、メッセージ中でユーザコンテキスト情報を搬送する。
【０２５４】
ステップＳ１８０５：ＲＡＢ割当手続きが、３Ｇ ＳＧＳＮとＲＮＣとの間で実行され、それによりＲＡＢが確立される。
【０２５５】
ステップＳ１８０６：３Ｇ ＳＧＳＮが、ＳＧＳＮコンテキスト肯定応答メッセージを２Ｇ ＳＧＳＮに送信し、メッセージ中で指示が搬送されて、データ転送を実行しないように２Ｇ ＳＧＳＮに指示する。
【０２５６】
ステップＳ１８０７：３Ｇ ＳＧＳＮが、バイキャストコマンドメッセージをＧＧＳＮに送信し、２Ｇ ＳＧＳＮとターゲットＲＮＣとにデータを送信するようにＧＧＳＮに指示する。ターゲットＲＮＣのＧＴＰトンネル識別子がメッセージ中で搬送される。
【０２５７】
ステップＳ１８０８：ＧＧＳＮが、ダウンリンクデータパケットを２Ｇ ＳＧＳＮとターゲットＲＮＣとに送信する。
【０２５８】
ステップＳ１８０９：３Ｇ ＳＧＳＮが、ルーティングエリア更新受諾メッセージをＭＳに戻す。
【０２５９】
ステップＳ１８１０：ＭＳが、ルーティングエリア更新完了メッセージを３Ｇ ＳＧＳＮに戻す。
【０２６０】
ステップＳ１８１１：ＰＤＰコンテキスト更新のプロセスが、３Ｇ ＳＧＳＮとＧＧＳＮとの間で実行され、ＧＧＳＮ中のユーザのダウンリンクＧＴＰトンネル識別子を、ターゲットＲＮＣのＧＴＰトンネル識別子に変更し、ＧＧＳＮは、プロセスにおいてデータのバイキャストを停止する。
【０２６１】
ステップＳ１８１２：ＧＧＳＮが、ダウンリンクデータパケットをターゲットＲＮＣに送信する。
【０２６２】
図１９に関して、ＵＴＲＡＮからＧＥＲＡＮへの変更が起こるときのデータ処理方法は、次のステップを含む。
【０２６３】
ステップＳ１９０１：ＭＳが、システム間の変更を開始することを決定する。
【０２６４】
ステップＳ１９０２：ＭＳが、ルーティングエリア更新要求メッセージを新しいＳＧＳＮに、すなわち、２Ｇ ＳＧＳＮに送信する。
【０２６５】
ステップＳ１９０３：ユーザコンテキストを取得するために、２Ｇ ＳＧＳＮが、ＳＧＳＮコンテキスト要求メッセージを古いＳＧＳＮに、すなわち、３Ｇ ＳＧＳＮに送信する。
【０２６６】
ステップＳ１９０４：３Ｇ ＳＧＳＮが、ＳＲＮＳコンテキスト要求メッセージをソースＲＮＣに送信する。
【０２６７】
ステップＳ１９０５：ソースＲＮＣが、ＳＲＮＳコンテキスト応答メッセージを３Ｇ ＳＧＳＮに戻し、ダウンリンクデータをＭＳに送信することを停止し、データをバッファリングする。
【０２６８】
ステップＳ１９０６：３Ｇ ＳＧＳＮが、ＳＧＳＮコンテキスト応答メッセージを２Ｇ ＳＧＳＮに戻し、メッセージ中でユーザコンテキスト情報を搬送する。
【０２６９】
ステップＳ１９０７：２Ｇ ＳＧＳＮが、ＳＧＳＮコンテキスト肯定応答メッセージを３Ｇ ＳＧＳＮに送信し、２Ｇ ＳＧＳＮがデータパケットを受信する準備ができていることを３Ｇ ＳＧＳＮに知らせる。
【０２７０】
ステップＳ１９０８：３Ｇ ＳＧＳＮが、バイキャストコマンドメッセージをＧＧＳＮに送信し、ソースＲＮＣと２Ｇ ＳＧＳＮとにデータを送信するようにＧＧＳＮに指示する。２Ｇ ＳＧＳＮのＧＴＰトンネル識別子がメッセージ中で搬送される。
【０２７１】
ステップＳ１９０９：ＧＧＳＮがダウンリンクデータパケットを、ソースＲＮＣと２Ｇ ＳＧＳＮとに送信する。
【０２７２】
ステップＳ１９１０：ＰＤＰコンテキスト更新のプロセスが、２Ｇ ＳＧＳＮとＧＧＳＮとの間で実行され、ＧＧＳＮ中のユーザのダウンリンクＧＴＰトンネル識別子を、２Ｇ ＳＧＳＮのＧＴＰトンネル識別子に変更し、ＧＧＳＮは、プロセスにおいてデータのバイキャストを停止する。
【０２７３】
ステップＳ１９１１：ＧＧＳＮが、ダウンリンクデータパケットを２Ｇ ＳＧＳＮに送信し、２Ｇ ＳＧＳＮは、ダウンリンクデータパケットをＭＳに送信する。
【０２７４】
ステップＳ１９１２：２Ｇ ＳＧＳＮが、ルーティングエリア更新受諾メッセージをＭＳに戻す。
【０２７５】
ステップＳ１９１３：ＭＳが、ルーティングエリア更新完了メッセージを２Ｇ ＳＧＳＮに戻す。
【０２７６】
ＧＥＲＡＮ／ＵＴＲＡＮシステムと、ＳＡＥシステムとの間でハンドオーバまたは変更が起こるとき、上述したデータ転送処理方法をデータ転送のために使用できる。
【０２７７】
ＧＥＲＡＮシステムからＳＡＥシステムへのハンドオーバまたは変更が起こるとき、ＭＭＥがバイキャストコマンドメッセージをＵＰＥに送信し、２Ｇ ＳＧＳＮとＬＴＥとにデータを送信するようにＵＰＥに指示する。ＵＰＥは、ダウンリンクデータパケットを２Ｇ ＳＧＳＮとＬＴＥとに送信する。ユーザプレーンルーティングの更新が完了すると、ＵＰＥは、ダウンリンクデータパケットのバイキャストを停止し、ダウンリンクデータパケットをＬＴＥだけに送信する。
【０２７８】
ＳＡＥシステムからＧＥＲＡＮシステムへのハンドオーバまたは変更が起こるとき、ＭＭＥがバイキャストコマンドメッセージをＵＰＥに送信し、ＬＴＥと２Ｇ ＳＧＳＮとにデータを送信するようにＵＰＥに指示する。ＵＰＥは、ダウンリンクデータパケットをＬＴＥと２Ｇ ＳＧＳＮとに送信する。ユーザプレーンルーティングの更新が完了すると、ＵＰＥは、ダウンリンクデータパケットのバイキャストを停止し、ダウンリンクデータパケットを２Ｇ ＳＧＳＮだけに送信する。
【０２７９】
ＵＴＲＡＮシステムからＳＡＥシステムへのハンドオーバまたは変更が起こるとき、ＭＭＥがバイキャストコマンドメッセージをＵＰＥに送信し、ソースＲＮＣとＬＴＥとにデータを送信するようにＵＰＥに指示する。ＵＰＥは、ダウンリンクデータパケットをソースＲＮＣとＬＴＥとに送信する。ユーザプレーンルーティングの更新が完了すると、ＵＰＥは、ダウンリンクデータパケットのバイキャストを停止し、ダウンリンクデータパケットをＬＴＥだけに送信する。
【０２８０】
ＳＡＥシステムからＵＴＲＡＮシステムへのハンドオーバまたは変更が起こるとき、ＭＭＥがバイキャストコマンドメッセージをＵＰＥに送信し、ＬＴＥとターゲットＲＮＣとにデータを送信するようにＵＰＥに指示する。ＵＰＥは、ダウンリンクデータパケットをＬＴＥとターゲットＲＮＣとに送信する。ユーザプレーンルーティングの更新が完了すると、ＵＰＥは、ダウンリンクデータパケットバイキャストを停止し、ダウンリンクデータパケットをターゲットＲＮＣだけに送信する。
【０２８１】
図２０に関して、ソースデータ転送ネットワーク要素と、ターゲット側処理ネットワーク要素と、ユーザプレーンアンカーネットワーク要素とを含むデータ処理システムが、本発明の１つの実施形態において提供されている。ユーザプレーンアンカーネットワーク要素には、ソースデータ転送ネットワーク要素により転送されるデータを受信するように適合されている受信ユニットと、受信したデータをターゲット側処理ネットワーク要素に転送するように適合されている送信ユニットとが設けられている。
【０２８２】
本発明の１つの実施形態において、ソースデータ転送ネットワーク要素は、２ＧサービングＧＰＲＳサポートノード（ＳＧＳＮ）であり、ユーザプレーンアンカーネットワーク要素は、ゲートウェイＧＰＲＳサポートノード（ＧＧＳＮ）であり、ターゲット側処理ネットワーク要素は、ターゲット無線ネットワーク制御装置（ＲＮＣ）である。
【０２８３】
本発明の別の実施形態において、ソースデータ転送ネットワーク要素は、ソースＲＮＣであり、ユーザプレーンアンカーネットワーク要素は、ＧＧＳＮであり、ターゲット側処理ネットワーク要素は、２Ｇ ＳＧＳＮである。
【０２８４】
データ処理システムは、３Ｇ ＳＧＳＮ中に配置され、ＧＧＳＮのデータ転送トンネル識別子を獲得するように適合されているトンネル識別子獲得ユニットと、ターゲットＲＮＣ側のＧＴＰトンネル識別子をＧＧＳＮに送信するように適合されているトンネル識別子送信ユニットとをさらに含む。
【０２８５】
データ処理システムは、ＧＧＳＮ中に配置され、２Ｇ ＳＧＳＮにより転送されるデータパケットを受信し、ターゲット側処理ネットワーク要素により転送されるデータパケットをバッファリングするように適合されているデータパケットバッファユニットと、バッファリングされているデータパケットを送信するように適合されているデータパケット送信ユニットとをさらに含む。
【０２８６】
直通のトンネルメカニズムにおいて、ＧＥＲＡＮとＵＴＲＡＮとの間でハンドオーバまたは変更が起こるとき、ソースデータ転送ネットワーク要素により転送されるデータを、データパケットバッファユニット中でバッファリングでき、ＧＧＳＮがユーザプレーンルーティングの更新を完了するとき、または、ＧＧＳＮが３Ｇ ＳＧＳＮにより送信される更新ＰＤＰコンテキスト要求メッセージを受信するとき、データパケットバッファユニットは、バッファリングされているデータパケットをターゲットＲＮＣに転送する。また、ソースデータ転送ネットワーク要素により転送されるデータは、ターゲット側処理ネットワーク要素に直接転送できる。
【０２８７】
システム間のハンドオーバまたは変更が起こるとき、ソースデータ転送ネットワーク要素と、ターゲット側処理ネットワーク要素と、ユーザプレーンアンカーネットワーク要素との間の相互作用は、上記の実施形態中で記述したステップと同じか、または類似している。
【０２８８】
ユーザプレーンアンカーネットワーク要素が指示メッセージを受信し、ソースデータ転送ネットワーク要素および／またはターゲット側処理ネットワーク要素にデータを送信するとき、ユーザプレーンアンカーネットワーク要素は、ユーザプレーンルーティングを更新し、更新されたユーザプレーンルーティングにしたがって、メッセージ中で指示されるように、ターゲット側処理ネットワーク要素だけにデータを送信する。
【０２８９】
上記の実施形態における各ステップは、関連のハードウェアに指示するプログラムにより実現できることを、当業者は理解すべきである。プログラムは、ＲＯＭ／ＲＡＭや、磁気ディスクや、光ディスクのようなコンピュータ読み取り可能記憶媒体中に記憶させることができる。代わりに、本実施形態は、各集積回路モジュールにより実現でき、または、本発明のステップは、別々の集積回路モジュール中で実施できる。それゆえに、本発明は、何らかの特定のハードウェアまたはソフトウェアの組み合わせに限定されない。
【０２９０】
上記の実施形態から理解できるように、直通のトンネルメカニズムにおけるデータ処理方法により、ＧＥＲＡＮとＵＴＲＡＮとの間でハンドオーバまたは変更が起こるとき、ＧＧＳＮは、ソースデータ転送ネットワーク要素により転送されるデータをバッファリングし、次に、ターゲット側処理ネットワーク要素にデータを送信できる。代わりに、ＧＧＳＮは、ソースデータ転送ネットワーク要素により転送されるデータを、直接ターゲット側処理ネットワーク要素に送信できる。従来技術におけるデータ処理方法が直通のトンネルメカニズムにおいて適用できないという問題が解決される。直通のトンネルメカニズムにおける、ＧＥＲＡＮとＵＴＲＡＮとの間のハンドオーバまたは変更は、サービスデータの転送に影響を及ぼさない。
【０２９１】
本発明の例示的な実施形態を記述した。本発明の原理から逸脱することなく、当業者は、さまざまな代替または修正を実施してもよいことに注目すべきである。代替および修正は、本発明の範囲内でカバーされるべきである。
【符号の説明】
【０２９２】
ＵＰＥ  ユーザプレーンエンティティ
ＭＭＥ  モビリティマネジメントエンティティ
ＳＧＳＮ  サービングＧＰＲＳサポートノード
【図１】
2011254518.tif 000003
【図２】
2011254518.tif 000004
【図３】
2011254518.tif 000005
【図４】
2011254518.tif 000006
【図５】
2011254518.tif 000007
【図６】
2011254518.tif 000008
【図７】
2011254518.tif 000009
【図８】
2011254518.tif 000010
【図９】
2011254518.tif 000011
【図１０】
2011254518.tif 000012
【図１１】
2011254518.tif 000013
【図１２】
2011254518.tif 000014
【図１３】
2011254518.tif 000015
【図１４】
2011254518.tif 000016
【図１５】
2011254518.tif 000017
【図１６】
2011254518.tif 000018
【図１７】
2011254518.tif 000019
【図１８】
2011254518.tif 000020
【図１９】
2011254518.tif 000021
【図２０】
2011254518.tif 000022